(57)【特許請求の範囲】
【請求項１】
箱状のヘッドレストコアと、このヘッドレストコアを覆う袋状の表皮と、前記ヘッドレストコアおよび前記表皮の間で発泡してなる弾性体とを有するヘッドレストにおいて、
前記ヘッドレストコアに形成され、該ヘッドレストコアの内側から前記表皮の外側に臨む部材が挿通される挿通口を画成する挿通部と、
前記挿通口に挿通可能な筒状部を有し、該筒状部を挿通口に挿入して前記挿通部に取り付けられるカバー部材と、
前記筒状部の外側に形成され、前記挿通部の内側に折り返された前記表皮の端縁を、該筒状部における前記挿通口への挿入に際して引き込む係合部とを備え、
前記カバー部材は、前記筒状部の外周面に外側方へ延出するように設けられて、前記挿通部における挿通口の周縁部との間で表皮を挟持するフランジ部を有し、
前記係合部は、前記挿通口への前記筒状部の挿入方向に沿って前記フランジ部から延在し、前記表皮に臨む端縁が、複数の凸部が該挿入方向に並んだ凹凸に形成された
ことを特徴とするヘッドレスト。
【請求項２】
前記係合部は、前記挿入方向と直交する方向から見た側面視において鋸刃形状を呈し、前記各凸部は直角三角形状に形成されて、鋭角の１つが前記表皮に臨むと共に斜辺が外方を指向する請求項１記載のヘッドレスト。
【請求項３】
前記係合部は、前記筒状部と前記フランジ部とを繋ぐリブ状に形成される請求項１または２記載のヘッドレスト。
【発明の詳細な説明】
【技術分野】
【０００１】
この発明は、ヘッドレストに関するものである。
【背景技術】
【０００２】
車両の乗員室に設置されるシートのシートバッグの上部には、該シートに着席した乗員の頭部を保護するヘッドレストが装備されている(例えば特許文献１参照)。ヘッドレストは、本体部分の下方に突出したステーが、シートバッグに設けられた支持部に支持されて取り付けられる。ここで、ヘッドレストは、ステーが内側に連結された箱状のヘッドレストコアと、このヘッドレストコアを覆う袋状の表皮と、ヘッドレストコアおよび表皮の間で発泡成形された弾性体とから基本的に構成されている。ヘッドレストコアには、ステーが挿通される挿通口が内外に貫通するように形成され、表皮には、挿通口に合わせてステー開口が形成されている。そして、カバー部材の係合爪を挿通口に嵌め合わせることで、カバー部材のフランジと挿通口の周辺との間で表皮におけるステー開口周縁部を挟んで、ヘッドレストコアと表皮との間をシールして、ヘッドレストコアと表皮との間で弾性体を発泡成形している。
【先行技術文献】
【特許文献】
【０００３】
【特許文献１】特開２００８−２５３３３５号公報
【発明の概要】
【発明が解決しようとする課題】
【０００４】
前述したヘッドレストは、表皮のステー開口周縁部が弛んだまま弾性体が発泡成形されて、表皮にシワができたり、シールが十分になされずに弾性体が漏出したりする等、ヘッドレストの見栄えが悪化することがある。また、弾性体の発泡成形に際して、表皮のステー開口周縁部がカバー部材のフランジとヘッドレストコアとの間からずれたり、あるいは抜けたりする可能性もある。
【０００５】
すなわち本発明は、従来の技術に内在する前記問題に鑑み、これらを好適に解決するべく提案されたものであって、見栄えのよいヘッドレストを提供することを目的とする。
【課題を解決するための手段】
【０００６】
前記課題を克服し、所期の目的を達成するため、本願の請求項１に係る発明のヘッドレストは、
箱状のヘッドレストコアと、このヘッドレストコアを覆う袋状の表皮と、前記ヘッドレストコアおよび前記表皮の間で発泡してなる弾性体とを有するヘッドレストにおいて、
前記ヘッドレストコアに形成され、該ヘッドレストコアの内側から前記表皮の外側に臨む部材が挿通される挿通口を画成する挿通部と、
前記挿通口に挿通可能な筒状部を有し、該筒状部を挿通口に挿入して前記挿通部に取り付けられるカバー部材と、
前記筒状部の外側に形成され、前記挿通部の内側に折り返された前記表皮の端縁を、該筒状部における前記挿通口への挿入に際して引き込む係合部とを備え、
前記カバー部材は、前記筒状部の外周面に外側方へ延出するように設けられて、前記挿通部における挿通口の周縁部との間で表皮を挟持するフランジ部を有し、
前記係合部は、前記挿通口への前記筒状部の挿入方向に沿って前記フランジ部から延在し、前記表皮に臨む端縁が、複数の凸部が該挿入方向に並んだ凹凸に形成されたことを要旨とする。
請求項１に係る発明によれば、係合部によってカバー部材を取り付ける際に表皮を引き込んでテンションをかけることができ、表皮のシワの発生を防止することができる。また、係合部によって表皮のズレや抜けを防止することができる。従って、ヘッドレストの見栄えを向上し得る。
そして、挟持部によって表皮を挟むことで、表皮のズレや抜け等をより確実に防止することができる。また、係合部の凹凸によって表皮のズレや抜け等をより確実に防止することができる。
【０００７】
請求項２に係る発明では、前記係合部は、前記挿入方向と直交する方向から見た側面視において鋸刃形状を呈し、前記各凸部は直角三角形状に形成されて、鋭角の１つが前記表皮に臨むと共に斜辺が外方を指向することを要旨とする。
請求項２に係る発明によれば、係合部の各凸部が表皮に食い込みやすい。
【０００８】
請求項３に係る発明では、前記係合部は、前記筒状部と前記フランジ部とを繋ぐリブ状に形成されることを要旨とする。
請求項３に係る発明によれば、筒状部とフランジ部とを繋ぐ補強部として係合部が機能する。
【発明の効果】
【００１０】
本発明に係るヘッドレストによれば、見栄えを向上することができる。
【図面の簡単な説明】
【００１１】
【図１】本発明の好適な実施例に係るヘッドレストを一部切り欠いて示す概略斜視図である。
【図２】図１のＡ−Ａ線断面図である。
【図３】図２のＢ−Ｂ線で破断した要部断面図である。
【図４】図２の要部拡大図であって、(ａ)はカバー部材の取り付け途中を示し、(ｂ)はカバー部材を取り付けた弾性体の発泡成形前の状態を示す。
【発明を実施するための形態】
【００１２】
次に、本発明に係るヘッドレストにつき、好適な実施例を挙げて、添付図面を参照して以下に説明する。なお、ヘッドレストにおけるシートへの取り付け姿勢を基準として、前後左右上下方向を指称し、図１はヘッドレストを前側から見ている状態を示す。
【実施例】
【００１３】
図１および図２に示すように、ヘッドレスト１０は、箱状に形成されたヘッドレストコア１２と、このヘッドレストコア１２の外側を覆い得る袋状に形成された表皮１４と、ヘッドレストコア１２および表皮１４の間で発泡成形され、クッション性を発現する弾性体１６とを備えている。また、ヘッドレスト１０は、底面から下方に延出する２本のステー(部材)１８,１８を有し、ステー１８をシートにおけるシートバッグに設けられた支持部に夫々挿入して、シートに対して取り付けられる。ステー１８は、ヘッドレストコア１２の内側に臨む上部が図示しない支持機構によって左右の軸線回りに回動可能に支持され、ヘッドレスト１０は、シートに取り付けた際にシートに対して角度を調節し得るようになっている。
【００１４】
前記ヘッドレストコア１２は、前後２つの合成樹脂製の半体を組み付けて構成され、支持機構およびステー１８の上部を収容し得る収容空間１２ａが画成されている(図２参照)。ヘッドレストコア１２の底部には、左右方向に離間して並設された一対のステー１８,１８に対応して、収容空間１２ａに連通する挿通口２０ａを夫々画成する一対の挿通部２０,２０が形成されている。挿通口２０ａには、ヘッドレストコア１２の内側に上端部が支持されたステー１８が挿通されて、該挿通口２０ａを介してステー１８の下端部が外方に臨むようになっている。ここで、挿通口２０ａは、ヘッドレストコア１２に対して前後方向に相対的に動くステー１８に対応して、前後方向に大きく開口している。挿通部２０は、挿通口２０ａにおける外側(下側)の周縁部に、水平方向(後述するカバー部材３４の挿通口２０ａへの挿入方向と交差する面方向)に延在する受片２２が形成されている。また、挿通部２０の前部内面には、後方へ向けて水平方向に延在する取付片２４が形成され、この取付片２４に上下に貫通する取付孔２６が開設されている。
【００１５】
前記表皮１４は、天然または合成樹脂製の皮革やファブリックを材質にしており、所定形状に裁断された単一または複数の表皮片を縫合して、袋状に形成されている。表皮１４の底面には、左右の挿通口２０ａ,２０ａに合わせた位置に該挿通口２０ａよりも一回り小さいステー開口２８,２８が形成されると共に、表皮１４内へのヘッドレストコア１２の挿入口となる切れ目３０が左右のステー開口２８,２８間に形成されている(図１参照)。表皮１４における切れ目３０の中央部には、弾性体１６を発泡成形する際に、弾性体原料の注入口となる注入開口３２が形成されている。なお、切れ目３０および注入開口３２は、得られたヘッドレスト１０において封止されている。
【００１６】
前記ヘッドレスト１０には、略筒形状のカバー部材３４が挿通部２０に対して下方から嵌め合わせてあり、カバー部材３４によって表皮１４が挟まれると共にステー１８が囲われている(図１〜図３参照)。カバー部材３４は、上下に連通する筒形状の筒状部３６を本体として、この筒状部３６の外周面下縁に外側方(前記受片２２と並行する方向)に延出形成されたフランジ部３８を備えている。カバー部材３４は、筒状部３６を挿通口２０ａのに挿入して挿通部２０に取り付けた際に、フランジ部３８と受片２２との間で表皮１４を挟持するよう構成される(図２または図３参照)。なお、筒状部３６の前部は、前側に連なるフランジ部３８に向けて前記取付片２４と干渉しないように湾曲形成されている(図２参照)。また、カバー部材３４は、筒状部３６の外周面後部に位置すると共にフランジ部３８の上方に所要間隔離間して後方へ延出するよう形成された板状の第１取付部４０と、フランジ部３８の前部における挿通口２０ａの内側に臨む部位に上方へ延出するように形成された第２取付部４２とを備えている(図２参照)。第２取付部４２は、フランジ部３８の上面に立設された挿入軸部４２ａの上端部に、挿入軸部４２ａよりも外側方に延出するよう形成された爪部４２ｂを有し、爪部４２ｂから上端に向かうにつれて先細り形状になっている。なお、カバー部材３４には、筒状部３６における第１取付部４０とフランジ部３８との間に、後方へ延出する調節リブ４８が形成され(図４参照)、この調節リブ４８の延出寸法を変更することで、挿通部２０に対するカバー部材３４の取り付け具合を調節している。
【００１７】
前記カバー部材３４は、筒状部３６の外側に上下方向(筒状部３６における挿通口２０ａへの挿入方向)に沿って延在するよう形成された係合部４４,４６を有している(図２または図３参照)。係合部４４,４６は、挿通部２０において下方に開口した挿通口２０ａの内側に折り返された表皮１４の端縁を、筒状部３６の挿通口２０ａへの挿入に際して引っ掛けて引き込み得るよう構成されている。ここで、実施例のカバー部材３４は、第２取付部４２の挿入軸部４２ａ前面に上下に延在するよう形成された第１係合部４４と、筒状部３６の左右の側面に上下に延在するよう形成された第２係合部４６とを備えている。各係合部４４,４６は、該係合部４４,４６が繋がる面(挿入軸部４２ａまたは筒状部３６)から立ち上がるリブ形状であって、挿通部２０の内面に臨む係合端縁(端縁)４４ａ,４６ａが凹凸形状になっている。ここで、実施例の係合端縁４４ａ,４６ａは、表皮１４に食い込みやすいように係合部４４,４６の側面視において凸部が複数形成された鋸刃形状となっており、挿通部２０との間で表皮１４が引っ掛かり易くなっている。係合端縁４４ａ,４６ａの各凸部は、係合部４４,４６の側面視において略直角三角形状であって、鋭角の１つが表皮１４に臨むと共に斜辺が下方向(ヘッドレスト１０の外方)に指向するように形成されている。
【００１８】
次に、実施例に係るヘッドレスト１０の製造方法について説明する。ステー１８,１８が配設されたヘッドレストコア１２を、袋状に形成された表皮１４の切れ目３０から挿入し、ステー１８,１８をステー開口２８,２８を介して外方に突出させる。筒状部３６の内側にステー１８を通し、カバー部材３４を後から前方に向かうにつれて下方傾斜する姿勢として、カバー部材３４の後部に設けた第１取付部４０とフランジ部３８との間に挿通部２０の受片２２および表皮１４の端縁を挟む(図４(ａ)参照)。カバー部材３４を第１取付部４０側を支点としてヘッドレストコア１２側へ回動することで、挿通部２０の内側に折り返された表皮１４の端縁が第１係合部４４の係合端縁４４ａおよび第２係合部４６の係合端縁４６ａに押されて、挿通部２０の内側に沿って上方へ引き込まれる。第２取付部４２を取付孔２６に嵌め込むことで、カバー部材３４がヘッドレストコア１２に取り付けられた中間品が得られる(図４(ｂ)参照)。このとき、表皮１４の端縁が係合部４４,４６の係合端縁４４ａ,４６ａと挿通部２０の内面との間で挟持されると共に、カバー部材３４のフランジ部３８と挿通部２０の受片２２との間で表皮１４が挟持されて、ヘッドレストコア１２と表皮１４との間が密にシールされる。得るべきヘッドレスト１０の外形に合わせて形成されたキャビティを有する成形型(図示せず)に中間品をセットし、注入開口３２から弾性体原料を注入して発泡成形することで、ヘッドレストコア１２と表皮１４との間に弾性体１６が充填される。
【００１９】
このように、カバー部材３４をヘッドレストコア１２に取り付ける際に、第１係合部４４および第２係合部４６によって表皮１４の端縁を引き込んで、表皮１４を張る方向にテンションをかけることができる。ここで、カバー部材３４の前部と左右の３箇所に係合部４４,４６が設けられているので、第１取付部４０を引っ掛けて第２取付部４２を取付孔２６に挿入する作業において、バランスよく表皮１４にテンションをかけることができる。これにより、弾性体１６の発泡成形に際して、表皮１４にたるみができ難く、またヘッドレストコア１２と表皮１４とを隙間なく密着させて、ヘッドレストコア１２と表皮１４との間を適切にシールし得る。更に、表皮１４は、係合部４４,４６によって挿通部２０の内側に折り返して挟持されているので、弾性体１６の発泡成形時に発泡圧が表皮１４に加わっても、表皮１４が位置ずれしたり、抜けたりすることなども防止し得る。しかも、係合部４４,４６の係合端縁４４,４６は、凹凸形状になっているので、表皮１４をより確実に保持し得る。更にまた、実施例では、カバー部材３４のフランジ部３８と挿通部２０の受片２２との間でも表皮１４を挟んでいるので、表皮１４をより確実に保持し得る。すなわち、得られたヘッドレスト１０は、弾性体１６の発泡成形時の表皮１４のたるみに起因して該表皮１４にシワが生じることを回避でき、また適切にシールされるので弾性体原料の漏出による汚損なども防止することができる。従って、ヘッドレスト１０の見栄えを向上し得る。
【００２０】
前記ヘッドレスト１０によれば、表皮１４が係合部４４,４６によって挿通部２０の内側に折り返して挟持されているので、使用時に表皮１４に引っ張り力が加わっても、表皮１４が位置ずれしたり、抜けたりすることなどを防止し得る。しかも、係合部４４,４６の係合端縁４４,４６は、凹凸形状になっているので、表皮１４をより確実に保持し得る。また、実施例では、カバー部材３４のフランジ部３８と挿通部２０の受片２２との間でも表皮１４を挟んでいるので、表皮１４をより確実に保持し得る。ここで、係合部４４,４６と挿通部２０の内面とによって表皮１４を挟持する方向と、フランジ部３８と受片２２とによって表皮１４を挟持する方向とを異ならしており、これによりカバー部材３４から表皮１４がずれ難くなっている。第１係合部４４は、フランジ部３８から立設された第２取付部４２とフランジ部３８のフランジ面とを繋ぐように連設されたリブ状に構成されているので、第２取付部４２とフランジ部３８を繋ぐ補強部として機能する。同様に、第２係合部４６は、筒状部３６の外周面とフランジ部３８のフランジ面とを繋ぐように連設されたリブ状に構成されているので、筒状部３６の外周面とフランジ部３８を繋ぐ補強部として機能する。これにより、フランジ部３８の表皮１４を挟む力を向上して、張力のかかった状態の表皮１４をより安定して挟持できる。
【００２１】
(変更例)
前述した実施例に限定されず、以下のように変更することもできる。
(１)ステーが挿通するステー開口を囲うカバー部材に係合部を設けたが、例えば支持機構によってステーを所定角度で規制し得る構成において、支持機構による規制状態を解除するボタンを外方へ臨ませるボタン開口を囲うカバー部材に係合部を設けてもよい。
(２)係合部の数は、実施例の構成に限定されず、例えば係合部が１つや２つであっても、４つ以上であってもよい。
(３)係合部の位置は、実施例の構成に限定されず、カバー部材の後部に設けてもよい。
(４)係合端縁は、カバー部材を挿通口に取り付ける際に、表皮の端縁を引っ張り易いように、実施例と反対向きの鋸歯状であってもよい。また、係合端縁の凹凸は、細かい溝状など表皮に対して抵抗になる構成であれば採用し得る。
(５)係合端縁に形成した凸部の形状は、表皮の厚み、硬さおよび表面の摩擦抵抗によって変更される。例えば表皮が厚い場合や硬い場合もしくは表面の摩擦抵抗が大きい場合には、カバー部材を挿通部に嵌める際の抵抗が大きいので斜辺を下向きに設けることが好ましい。逆に表皮が薄い場合や硬度が低い場合もしくは摩擦抵抗が小さい場合には、表皮に対する圧力が弱くなるので、斜辺を上向き(カバー部材を取り付ける方向)に設けることが好ましく、表皮の厚み、硬さおよび表面状態にあわせて適宜調整される。また、凸部における表皮に臨む角の角度は、鋭角、直角、鈍角のいずれであってもよく、前述した如く、表皮の厚み、硬さおよび表面の摩擦抵抗によって角度を調整変更することが好ましい。表皮が厚い場合や硬い場合もしくは摩擦抵抗が大きい場合には、カバー部材を挿通部に嵌める際の抵抗が大きいので角度が大きく(鈍角側)なるように設定し、逆に表皮が薄い場合や硬度が小さい場合もしくは摩擦抵抗が小さい場合には、表皮に対する圧力が弱くなるので、角度が小さく(鋭角側)なるように設けることが好ましく、表皮の厚み、硬さおよび表面状態にあわせて適宜調整される。
(６)実施例では、ステー等の部材をヘッドレストコアに予め配設した状態で表皮に挿入する例を挙げたが、ヘッドレストコアを表皮に挿入した後に、ステー等の部材をヘッドレストコアに配設してもよい。
【符号の説明】
【００２２】
１２ ヘッドレストコア，１４ 表皮，１６ 弾性体，１８ ステー(部材)，
２０ 挿通部，２０ａ 挿通口，３４ カバー部材，３６ 筒状部，３８ フランジ部，
４４ 第１係合部(係合部)，４４ａ 係合端縁(端縁)，４６ 第２係合部(係合部)
４６ａ 係合端縁(端縁)
【図１】
0005963418.tif 000002
【図２】
0005963418.tif 000003
【図３】
0005963418.tif 000004
【図４】
0005963418.tif 000005